(57)【要約】      （修正有）【課題】ランナー軸の前後方向のがたつきを防ぎ、調整ねじによる調整量と戸パネルによる調整結果のずれを解消し、戸パネルの前後位置の調整を迅速、適正に行え、ランナー本体の走行状態安定化と、戸パネルの開閉操作軽快化ができるランナーユニットを提供する。【解決手段】戸パネル３に装着されるランナー台１０の区室２３に、戸パネル３の前後位置を調整する前後調整機構を設ける。前後調整機構は、ランナー台１０で前後揺動可能に軸支される揺動アーム３３と、左右方向へ往復変位自在に設けた調整具３４と、調整具３４を往復変位操作する調整ねじ３５を備える。調整具３４と揺動アーム３３とは連動構造を介して連結する。揺動アーム３３の一端に、ランナー軸１１を保持する操作溝４２を備えた軸抱持部３８を設ける。以て、調整具３４が調整ねじ３５で往復変位操作されるとき、揺動アーム３３が前後揺動してランナー軸１１の前後位置を調整できるようにする。【選択図】図１
2008255754.tif 000002
【特許請求の範囲】
【請求項１】
戸パネル（３）に装着されるランナー台（１０）に、戸パネル（３）の前後位置を調整する前後調整機構が設けてある吊車型のランナーユニットであって、
前後調整機構は、ランナー台（１０）で前後揺動可能に軸支される揺動アーム（３３）と、左右方向へ往復変位自在に設けられる調整具（３４）と、調整具（３４）を往復変位操作する調整ねじ（３５）を備えていて、調整具（３４）と揺動アーム（３３）とが連動構造を介して連結されており、
揺動アーム（３３）の一端に、ランナー軸（１１）を保持する操作溝（４２）を備えた軸抱持部（３８）が設けられており、
調整具（３４）が調整ねじ（３５）で往復変位操作されるとき、揺動アーム（３３）が前後揺動してランナー軸（１１）の前後位置を調整できるランナーユニット。
【請求項２】
操作溝（４２）が軸抱持部（３８）の先端へ向かって開口されており、
操作溝（４２）の開口と対向する区室（２３）の内面に、操作溝（４２）と共同してランナー軸（１１）の周面を挟持する規制壁（５０）が形成してある請求項１記載のランナーユニット。
【請求項３】
区室（２３）の前後壁に、軸抱持部（４２）の進入を許す逃げ部（５７）が形成してある請求項２記載のランナーユニット。
【請求項４】
揺動アーム（３３）が、区室（２３）の上壁（２３ａ）と、区室（２３）の前後壁を橋絡する軸受体（４５）との間に配置されて、上壁（２３ａ）および軸受体（４５）で揺動軸（３９）を介して前後揺動可能に軸支してある請求項２または３記載のランナーユニット。
【請求項５】
調整具（３４）が、調整ねじ（３５）がねじ込まれるねじブロック（５３）と、ねじブロック（５３）から揺動アーム（３３）へ向かって突設される連動腕（５４）とで構成されており、
揺動アーム（３３）の前後面のいずれかに、連動腕（５４）に対応する受動アーム（４０）が形成されており、
連動構造が連動腕（５４）および受動アーム（４０）と、これら両者（５４・４０）に設けられて互いに係合する突起（４１）と溝（５５）で構成してある請求項２〜４のいずれかに記載のランナーユニット。
【発明の詳細な説明】
【技術分野】
【０００１】
本発明は、戸パネルの前後位置を調整するための前後調整機構を備えている吊車型のランナーユニットに関する。
【背景技術】
【０００２】
本発明のランナーユニットは、ランナー台の内部に上下調整機構と前後調整機構を設けるが、この種のランナーユニットは例えば特許文献１に公知である。そこではランナー軸が組み付けられたランナー台を調整ねじで左右方向へ移動操作して、戸パネルの前後位置を調整できるようにしている。ランナー台を収容するハウジングの上壁と下壁には、ランナー軸の左右動作を前後動作に変換するカム溝が形成してある。
【０００３】
本発明のランナーユニットでは、前後揺動する揺動アームでランナー軸を前後に揺動操作して戸パネルの前後位置を調整するが、このように、揺動アームを調整要素とする前後調整機構は特許文献２に公知である。そこでは、縦向のピン回りに前後揺動する揺動アームと、揺動アームにねじ込み装着したランナー軸を前後に変位操作するカム板と、カム板を往復操作する調整ねじなどで前後調整機構を構成している。カム板にはランナー軸と交差する斜めのカム溝が形成してあり、カム板を調整ねじでスライド操作することにより、揺動アームおよびランナー軸をピンの回りに前後揺動させて、戸パネルの前後位置を調整できる。前後調整機構が組み込まれるランナー台の上壁には、ランナー軸用の逃げ溝が部分円弧状に形成してある。
【０００４】
既存のランナーユニットの多くは、ランナー台を保持ケースに差し込み装着するだけで、ランナー台をロック機構で取り外し不能にロック保持するが、本発明のランナーユニットに関して、ロック機構の構成部品のひとつであるロックばねを、ランナー台と一体に成形することは特許文献３に公知である。
【０００５】
【特許文献１】特開２００１−３１７２６６号公報（段落番号００２１、図１）
【特許文献２】特開２００１−３１７２６６号公報（段落番号００２１、図１）
【特許文献３】特許第３６４５８３７号公報（段落番号００３４、図４）
【発明の開示】
【発明が解決しようとする課題】
【０００６】
特許文献１のランナーユニットのように、ランナー台の内部に上下調整機構と前後調整機構を設け、さらにランナー台をハウジングに収容すると、ハウジング側の全体構造が複雑になるのはもちろん、ハウジングの上下寸法や前後寸法が大きくなるのを避けられず、例えば厚み寸法が小さな戸パネルにランナーユニットを適用できないことがある。また、ランナー台の内部の狭い空間に多くの部品を組み込む必要があるので、組立が煩雑になり、多くの手間が掛かる。
【０００７】
特許文献２のランナーユニットは、カム板に形成した斜めのカム溝でランナー軸を調整位置に保持するので、ランナー軸がカム溝の内部で前後いずれかへがたつきやすく、そのため、調整ねじによる調整量と戸パネルの調整結果とに差が生じ、戸パネルを過不足なく調整するのに手間取ることがある。また、ランナー軸ががたつくことで、戸パネルを開閉するときランナー本体が蛇行するなど走行状態が不安定になりやすい。戸パネルの高さを調整する場合には、ランナー軸の揺動アームに対するねじ込み量を調整するが、調整のための操作部がランナーブロックの下面に設けてあるので、ガイドレールや戸パネルが邪魔になって調整作業を行いにくい。
【０００８】
本発明の目的は、前後調整機構におけるランナー軸の前後方向のがたつきを防止して、調整ねじによる調整量と戸パネルにおける調整結果とのずれを解消でき、したがって、戸パネルの前後位置の調整を迅速にしかも適正に行え、さらに、ランナー本体の走行状態を安定化して、戸パネルの開閉操作を軽快に行うことができるランナーユニットを提供することにある。本発明の目的は、適切な調整機能を発揮しながら、調整作業のしやすさを同時に実現できる前後調整機構を備えたランナーユニットを提供することにある。
【課題を解決するための手段】
【０００９】
本発明の吊車型のランナーユニットは、戸パネル３に装着されるランナー台１０に、戸パネル３の前後位置を調整する前後調整機構が設けてある。前後調整機構は、ランナー台１０で前後揺動可能に軸支される揺動アーム３３と、左右方向へ往復変位自在に設けられる調整具３４と、調整具３４を往復変位操作する調整ねじ３５を備えている。調整具３４と揺動アーム３３とは連動構造を介して連結する。揺動アーム３３の一端に、ランナー軸１１を保持する操作溝４２を備えた軸抱持部３８を設ける。以て、調整具３４が調整ねじ３５で往復変位操作されるとき、揺動アーム３３が前後揺動してランナー軸１１の前後位置を調整できるようにする。
【００１０】
操作溝４２は、軸抱持部３８の先端へ向かって開口する。操作溝４２の開口と対向する区室２３の内面に、操作溝４２と共同してランナー軸１１の周面を挟持する規制壁５０を形成する。
【００１１】
区室２３の前後壁に、軸抱持部４２の進入を許す逃げ部５７を形成する。
【００１２】
揺動アーム３３は、区室２３の上壁２３ａと、区室２３の前後壁に橋絡した軸受体４５との間に配置して、上壁２３ａおよび軸受体４５で揺動軸３９を介して前後揺動可能に軸支する。
【００１３】
調整具３４は、調整ねじ３５がねじ込まれるねじブロック５３と、ねじブロック５３から揺動アーム３３へ向かって突設される連動腕５４とで構成する。揺動アーム３３の前後面のいずれかに、連動腕５４に対応する受動アーム４０を形成する。連動構造は、連動腕５４および受動アーム４０と、これら両者５４・４０に設けられて互いに係合する突起４１と溝５５で構成する。
【発明の効果】
【００１４】
本発明では、前後揺動可能に軸支される揺動アーム３３と、左右方向へ往復変位できる調整具３４と、調整具３４を往復変位操作する調整ねじ３５などで前後調整機構を構成し、調整具３４と揺動アーム３３を連動構造を介して連結することにより、調整具３４の往復動作を揺動アーム３３の前後動作に変換できるようにした。また、揺動アーム３３の一端に操作溝４２を備えた軸抱持部３８設け、操作溝４２で保持したランナー軸１１を前後に揺動操作することにより、戸パネル３の前後位置を調整できるようにした。
【００１５】
上記のように、ランナー軸１１を操作溝４２で保持した状態で前後揺動操作すると、任意の調整位置におけるランナー軸１１の前後方向のがたつきを操作溝４２で規制できるので、調整ねじ３５による調整量と戸パネル３における調整結果とのずれを大幅に抑止でき、したがって、戸パネル３の前後位置の調整を迅速にしかも適正に行える。さらに、ランナー軸１１の前後方向のがたつきがない分だけ、ランナー本体８の走行状態を安定化して、戸パネル３の開閉操作を軽快に行うことができる。
【００１６】
区室２３の内面に規制壁５０を形成し、操作溝４２と規制壁５０とが共同してランナー軸１１の周面を挟持する前後調整機構によれば、任意の調整位置におけるランナー軸１１の前後方向のがたつきはもちろん、左右方向のがたつきをも同時に規制して、前後調整機構による調整精度を向上できるので、戸パネル３における調整結果のずれを解消して、戸パネル３の前後位置をさらに適切に調整できるし、ランナー本体８の走行状態をもさらに安定化できる。外力が作用する場合に、戸パネル３の前後位置がずれて、隣接する戸パネル３どうしが擦れあうこともない。
【００１７】
区室２３の前後壁に軸抱持部４２の進入を許す逃げ部５７が形成してある前後調整機構によれば、前後の逃げ部５７の分だけ揺動アーム３３の前後揺動ストロークを大きくでき、したがって、揺動アーム３３の前後揺動ストロークを一定とするときの、ランナー台１０の前後厚み寸法を区室２３の前後壁の厚み寸法分だけ小さくして、ランナー台１０や保持ケース９を含む装着構造の全体をコンパクト化できる。厚み寸法が小さい戸パネル３であっても、支障なくランナー台１０や保持ケース９などを埋設固定できるのでランナーユニットの汎用性を向上できる。
【００１８】
区室２３の上壁２３ａと、区室２３の前後壁に橋絡した軸受体４５との間に揺動アーム３３を配置し、上壁２３ａおよび軸受体４５で揺動軸３９を介して揺動アーム３３を前後揺動可能に軸支する前後調整機構によれば、上下の揺動軸３９を区室２３の上壁２３ａと、前後壁に橋絡した軸受体４５とで的確に両持ち支持して、揺動アーム３３の揺動動作を安定化できる。揺動アーム３３および揺動軸３９を組み付けたのち、軸受体４５を区室２３の前後壁に係合し橋絡することで揺動アーム３３の組み付けを終了できるので、区室２３に対する揺動アーム３３の組み付けを簡便化できる。
【００１９】
ねじブロック５３と揺動アーム３３へ向かって突設される連動腕５４とで調整具３４を構成し、揺動アーム３３の受動アーム４０および連動腕５４と、これら両者４０・５４に設けた突起４１と溝５５で連動構造を構成すると、揺動アーム３３と調整具３４の連動構造を簡素化して、前後調整機構の全体構造を簡素化でき、低コスト化できる。連動構造を簡素化できる分だけ、連動構造における遊びを最小限化して調整精度を向上できる。
【発明を実施するための最良の形態】
【００２０】
（実施例）  図１ないし図９は本発明に係るランナーユニットを引戸に適用した実施例を示す。図２において引戸は、開口枠の上枠に設けたガイドレール１と、ガイドレール１に沿って引き違い開閉できる左右一対の戸パネル３とからなる。各戸パネル３の上部両側には、ガイドレール１で移行案内されるランナーユニットが組み付けてある。各戸パネル３は、その下端に設けたスライド溝４と係合する振止ピン５で振れ止め保持してある。
【００２１】
図３においてランナーユニットは、ガイドレール１で左右方向に走行案内されるランナー本体８と、戸パネル３の上隅に埋設固定される保持ケース９と、保持ケース９の横側方から差し込み装着されるランナー台１０と、ランナー本体８とランナー台１０を連結するランナー軸１１などで構成する。図３に示すようにガイドレール１は断面Ｃ字状の前後レールを一体に備えたアルミニウム条材からなり、下面前後のレール壁の間が下向きに開口してある。ランナー本体８は、プラスチック成形品からなる左右横長の走行ブロック１４と、走行ブロック１４の左右に前後一対ずつ配置される４個のローラー１５と、これらのローラー１５を遊転自在に軸支するローラー軸１６などで構成してある。
【００２２】
保持ケース９は、戸パネル３の側端上部に形成した装着穴１９に嵌め込まれて、同ケース９の内奥壁の上下２箇所がビス２０で締結固定してある。保持ケース９はプレス成形品からなり、前後一対の対向壁のそれぞれに、後述するロック機構を構成するロック凹部２１が切り欠き形成してある。ロック凹部２１は下向きに開口する状態で切り欠き形成してあり、その開口部分へ向かってロック片２７を押し上げ案内するガイド面２２が上り傾斜状に形成してある。
【００２３】
ランナー台１０の内部には下向きに開口する区室２３が形成してあり、ランナー台１０の上面と区室２３の内奥との間のボス壁２４に、ランナー軸１１を連結するための連結穴２５が上下貫通状に形成してある。図１に示すように、連結穴２５はランナー軸１１の前後揺動軌跡に一致する部分円弧状の溝で形成してある。区室２３の上下には、戸パネル３の前後位置を調整する前後調整機構と、戸パネル３の上下位置を調整する上下調整機構とが組み込んであり、区室２３の上面上方には、ロックレバー２８がボス壁２４と一体に形成してある。
【００２４】
保持ケース９に嵌め込み装着したランナー台１０を分離不能にロック保持するために、これら両者９・１０の間にロック機構を設けている。ロック機構は、保持ケース９の前後壁に設けた一対のロック凹部２１と、ロック凹部２１に落ち込み係合するロック片２７を備えたロックレバー２８と、ロックレバー２８をロック解除操作する解除レバー２９と、ロックレバー２８をロック付勢するロックばね３０とで構成する。この実施例では、ロックレバー２８をボス壁２４から片持ち梁状に横向きに連出して、ロックレバー２８がロックばね３０を兼ねるようにした。解除レバー２９とロックレバー２８とは横一文字状に連続形成してあり、その中途部の前後にロック片２７が突設してある。ロックレバー２８の先端上面には、指掛け用の突起３１が突設してある。ロックばね３０を兼ねるロックレバー２８のばね弾性を充分なものとし、さらに強靭さを付与するために、ランナー台１０は例えばポリアセタールやポリブチレンテレフタレートを素材にして形成する。
【００２５】
上記のようにロック片２７と、ロックレバー２８と、解除レバー２９とをランナー台１０と一体に成形すると、ロック機構の主要部品を独立した部品として設ける必要がなく、しかも組み付けの手間を省けるので、ランナーユニットの全体コストを削減できる。組み付け部品数が少ない分だけ信頼性を向上できる利点もある。区室２３の上面上方に、ロックばね３０を兼ねるロックレバー２８と解除レバー２９を片持ち梁状に連出し、その中途部の前後にロック片２７を突設すると、保持ケース９のロック凹部２１を除くロック機構の構成部品の全てをランナー台１０と一体化して、ランナーユニットの全体コストをさらに削減できる。また、区室２３の上面上方の自由空間に各部材２７〜３０を配置するので、一体成形された各部品を区室２３内の空間に配置する場合に比べて設計の自由度が高く、しかも他の構造の制約がない分だけ片持ち梁状の簡素な構造としてまとめることができる。成形用金型の構造を簡素化して金型コストを削減できる利点もある。
【００２６】
ランナー台１０を保持ケース９に嵌め込み連結するときは、図３に示すように戸パネル３を起立保持した状態で、ランナー本体８が連結されたランナー台１０を保持ケース９に差し込み装着する。ランナー台１０を差し込み係合するのに伴って、ロック片２７がロックレバー２８の弾性に抗しながらガイド面２２で徐々に押し上げ操作されたのち、図５に示すようにロック凹部２１に落ち込み係合して、ランナー台１０を分離不能にロック保持できる。ランナー台１０を保持ケース９から取り外す場合には、解除レバー２９を押し下げ操作して、ロックレバー２８をその弾性に抗して下向きに弾性変形させ、図６に示すようにロック片２７とロック凹部２１との係合を解除し、その状態を維持したままでランナー台１０を抜き出し操作することにより保持ケース９から分離できる。
【００２７】
図７および図８において前後調整機構は、ランナー台１０で前後揺動可能に軸支される揺動アーム３３と、左右方向へ往復変位自在に設けられるスライドブロック（調整具）３４と、スライドブロック３４を往復変位操作する調整ねじ３５などで構成する。
【００２８】
揺動アーム３３は、一端にボス３７を有し他端に軸抱持部３８を備えた、平面視がＹ字状のダイキャスト成形品からなる。ボス３７の上下端には揺動軸３９が形成され、ボス３７の上下中途部の前面に受動アーム４０を形成し、その上面に連動軸（突起）４１が突設してある。下側の揺動軸３９は太鼓形断面状に形成してある。軸抱持部３８にはランナー軸１１を保持する操作溝４２が上下方向に形成してある。操作溝４２はアーム先端へ向かって開口する断面Ｕ字状の溝からなり、操作溝４２に臨む軸抱持部３８の突端面４３は、揺動軸３９の軸中心を円弧中心とする仮想円に沿って部分円弧面で形成してある。
【００２９】
図５に示すように揺動アーム３３は、区室２３の上壁２３ａと、区室２３の前後壁に橋絡した軸受体４５との間に配置する。上壁２３ａおよび軸受体４５で上下の揺動軸３９を軸支することにより、揺動アーム３３の全体が前後揺動可能に支持される。軸受体４５は長方形状の板体からなり、その板面に組付溝４６と、下側の揺動軸３９軸支する軸受穴４７が連続して形成してある。
【００３０】
揺動アーム３３の上側の揺動軸３９を上壁２３ａの軸受穴に嵌め込んだのち、軸受体４５を区室２３の後壁に形成した開口から差し込み、組付溝４６および軸受穴４７を下側の揺動軸３９にスライド係合し（図８参照）、さらに軸受体４５の差し込み始端を前壁に形成した開口に係合して前後壁を橋絡することにより、揺動アーム３３が前後揺動可能に軸支される。図８に示すように、軸受穴４７は鼓状に形成されていて、揺動軸３９軸の後側の軸周面を常時保持しており、揺動アーム３３が中立位置から僅かでも揺動変位した状態では、揺動軸３９軸の前側の軸周面を保持して、揺動アーム３３ががたつくのを規制できる。
【００３１】
上記のように揺動アーム３３を区室２３内に組み込んだ状態においては、図１に示すように操作溝４２の開口が区室２３の内周面に形成した規制壁５０と対向する。規制壁５０は、揺動軸３９の軸中心を円弧中心とする部分円弧面で形成してあり、操作溝４２と共同してランナー軸１１の周面を常に挟持する。つまり、操作溝４２を縦通するランナー軸１１の周面は、操作溝４２の奥端の半円周面と規制壁５０とで常に保持される。したがって、ランナー軸１１が前後に長い部分円弧状の連結穴２５で支持してあるにもかかわらず、ランナー軸１１を前後左右にがたつきのない状態で位置保持して、調整ねじ３５による調整量と戸パネル３における調整結果とのずれを解消できる。また、ランナー本体８の走行状態を安定化して、戸パネルの開閉操作を軽快に行うことができる。
【００３２】
スライドブロック３４は、調整ねじ３５がねじ込まれるねじ穴５２を備えたねじブロック５３と、ねじブロック５３から揺動アーム３３へ向かって突設される連動腕５４とを一体に備えたダイキャスト成形品からなり、連動腕５４の突端寄りに先の連動軸４１と係合する下向きの溝５５が形成してある。連動腕５４と受動アーム４０、およびこれら両者４０・５４に設けられて互いに係合する連動軸４１と溝５５とで、揺動アーム３３とスライドブロック３４を連動可能に連結する連動構造が構成されている。皿ビスからなる調整ねじ３５は、ランナー台１０の外側端面の側から区室２３内へ差し込まれて、ねじ部分がねじブロック５３のねじ穴５２にねじ込んである。調整ねじ３５は、ランナー台１０に差し込み係合したリテーナ板５６で、回転のみ自在な状態で抜け止めされている。
【００３３】
調整ねじ３５を回転操作すると、回転操作量に応じてスライドブロック３４が往復スライドし、操作溝４２で保持したランナー軸１１を前後に揺動操作できる。ランナー軸１１の前後変位量を充分なものとしながら、ランナー台１０の前後厚みを小さくするために、区室２３の前後壁に軸抱持部３８の進入を許す逃げ部５７が貫通形成してある。図１に示すように、揺動軸３３が前または後の限界位置まで揺動変位する状態において、軸抱持部３８の先端前後部分が逃げ部５７に入り込む。揺動軸３３が限界揺動位置まで変位した状態における戸パネル３の前後変位位置を図４に想像線と矢印で示している。
【００３４】
図５および図７において、上下調整機構は、ランナー軸１１を上下に調整操作する調整レバー６０と、調整レバー６０に組み込まれる雌ねじ板６１と、雌ねじ板６１にねじ込まれる調整ねじ６２などで構成する。調整レバー６０は、前後一対の逆Ｌ字状のレバー壁を備えたプレス金具からなり、その隅部分が区室２３を前後に貫通する揺動ピン６３で揺動自在に軸支してある。横向きに連出される横腕壁６４は、ランナー軸１１の前後を挟む状態で配置されて、ピン６５でランナー軸１１と連結される。
【００３５】
横腕壁６４に連結されるランナー軸１１の下端部分１１ａは扁平に形成してあり、下端部分１１ａに通設されるピン穴の直径はピン６５の直径より大きく設定してある。下向きに連出される縦腕壁６６には鼓形の支持穴６７が設けてあり、この支持穴６７で雌ねじ板６１の前後端を支持している。調整ねじ６２は、ランナー台１０の外側端面の側から区室２３内へ差し込まれて、ねじ部分が雌ねじ板６１にねじ込んである。調整ねじ６２は、ランナー台１０に差し込み係合したリテーナ板６８で回転のみ自在な状態で抜け止めされている。
【００３６】
上記の実施例以外に、操作溝４２は、断面がＵ字状の溝で形成する必要はなく、断面がＣ字状の溝や、ランナー軸１１との接当周面がＶ字状あるいは台形状に形成してある溝に変更することができる。軸抱持部３８は二又構造である必要はなく、区室２３の前後壁と接当干渉しない限り、その外郭形状は自由に設定できる。区室２３は前後に開口する状態で形成でき、その場合には軸受体４５に相当する壁をランナー台１０と一体に形成することができる。
【００３７】
連動軸４１は、揺動アーム３３の前後面のいずれの側にでも設けることができ、さらに、揺動アーム３３の左右方向の中途部の任意位置に設けることができる。連動軸４１を調整具３４に設け、溝５５を揺動アーム３３に設けることができる。揺動軸３９は、揺動アーム３３とは別体のピンで形成することができ、必要があれば上側の揺動軸３９を上壁２３ａと一体に形成することができる。揺動アーム３３と調整具３４を連結する連動構造は、ラックとピニオンを連動要素として構成することができる。その場合には、連動腕５４にラックを形成し、揺動アーム３３のボス３７に部分歯車状のピニオンを形成する。
【００３８】
ロックばね３０を別部品として構成しておいて、ロックレバー２８と上壁２３ａとの間に組むことができる。その場合のロックレバー２８は、一体成形ヒンジを介してボス壁２４と一体成形することができる。上下調整機構は、一対の傘歯車や、ウォームギヤとラックなどを伝動要素にして構成することができる。本発明のランナーユニットは、引戸以外に折戸に適用することができる。その場合には、前後調整機構を省いて使用することができる。
【図面の簡単な説明】
【００３９】
【図１】前後調整機構の横断平面図である。
【図２】引戸の正面図である。
【図３】ランナー台と保持ケースを分離した状態の一部破断正面図である。
【図４】ガイドレールの縦断側面図である。
【図５】ランナー台の内部構造を示す縦断正面図である。
【図６】ランナー台の着脱途中状態を示す一部破断段正面図である。
【図７】前後調整機構および上下調整機構の分解斜視図である。
【図８】前後調整機構の斜視図である。
【図９】図５におけるＡ−Ａ線断面図である。
【符号の説明】
【００４０】
９  保持ケース
１０  ランナー台
１１  ランナー軸
２２  区室
３３  揺動アーム
３４  スライドブロック
３５  調整ねじ
３８  軸抱持部
４２  操作溝
５０  規制壁
【図１】
2008255754.tif 000003
【図２】
2008255754.tif 000004
【図３】
2008255754.tif 000005
【図４】
2008255754.tif 000006
【図５】
2008255754.tif 000007
【図６】
2008255754.tif 000008
【図７】
2008255754.tif 000009
【図８】
2008255754.tif 000010
【図９】
2008255754.tif 000011